【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
周波数変調された２値信号の読取方法であって、
基準時間を求め、
前記基準時間の１倍〜ｎ倍における各ピーク間時間の下限及び上限をブロック判定の閾値として設定し、
前記２値信号の各ピーク間時間が、前記設定された各時間の下限及び上限の閾値内に含まれるまで、前記基準時間の倍数を増加させると共に、前記ピーク間時間を逐次加算してブロックを決定し、
前記決定されたブロックにおける基準時間の倍数を判定するビットデータ数であることを前提として、各ビットの１または０の判定する、
ことを特徴とする２値信号の読取方法。
【請求項２】
高低２種の周波数の組合わせによる周波数変調された２値信号の読取方法であって、
前記２値信号を微分した波形をサンプリングしてピーク間時間に基づいた矩形波を取得し、
前記矩形波のプリアンブル部から低い周波数のピーク間時間の平均である基準時間を求め、
前記基準時間の１倍〜ｎ倍における各ピーク間時間の下限及び上限をブロック判定の閾値として設定し、
前記２値信号の各ピーク間時間が、前記設定された各ピーク間時間の下限及び上限に含まれるまで、前記ピーク間時間を逐次加算して判断し、
逐次加算されたピーク間時間が前記設定された各時間の下限及び上限の閾値内に含まれると判断された基準時間の倍数をブロックとして決定し、
前記決定されたブロックにおける基準時間の倍数を判定するビットデータ数であることを前提として、各ビットの１または０の判定する、
ことを特徴とする２値信号の読取方法。
【請求項３】
前記ピーク間時間に基づいた矩形波を取得する際に、
ピーク間時間が所定の時間よりも短い場合には、次のピークまでの時間をピーク間時間とする、
ことを特徴とする請求項１又は２に記載の２値信号の読取方法。
【請求項４】
前記基準時間の倍数をブロックとして決定された後は、更に、継続する２値信号に対して、ブロックの決定を繰り返す、
ことを特徴とする請求項１〜３のいずれか１項に記載の２値信号の読取方法。
【請求項５】
前記基準時間の１倍〜ｎ倍における各時間の下限及び上限の閾値の設定は、基準時間の倍数が大きくなるに従って当該閾値幅が小さくなるように設定される、
ことを特徴とする請求項１〜４のいずれか１項に記載の２値信号の読取方法。
【請求項６】
前記高低２種の周波数の組合わせによる周波数変調された２値信号は、磁気記録媒体に記録された信号である
ことを特徴とする請求項１〜５のいずれか１項に記載の２値信号の読取方法。
【請求項７】
基準時間を求める基準時間決定部と、
前記基準時間の１倍〜ｎ倍における各ピーク間時間の下限及び上限をブロック判定の閾値として設定する閾値設定部と、
前記２値信号の各ピーク間時間が、前記設定された各時間の下限及び上限の閾値内に含まれるまで、前記ピーク間時間を逐次加算して判断して、逐次加算されたピーク間時間が前記設定された各ピーク間時間の下限及び上限の閾値内に含まれると判断された基準時間の倍数をブロックに含まれるビット数として決定するブロック決定部と、
前記決定されたブロックの基準時間の倍数を、判定するビットデータ数であることを前提として各ビットの１または０の判定するビット判定部と、
前記各部をコンピューターによって制御する制御部と、
を含むことを特徴とする２値信号の読取装置。
【請求項８】
前記２値信号を微分した波形をサンプリングしてピーク間時間に基づいた矩形波を取得する矩形波取得部と、
前記矩形波のプリアンブル部から低い周波数のピーク間時間の平均である基準時間を求め基準時間決定部と、
前記基準時間の１倍〜ｎ倍における各ピーク間時間の下限及び上限をブロック判定の閾値として設定する閾値設定部と、
前記２値信号の各ピーク間時間が、前記設定された各ピーク間時間の下限及び上限の閾値内に含まれるまで、前記ピーク間時間を逐次加算して判断して、逐次加算されたピーク間時間が前記設定された各時間の下限及び上限の閾値内に含まれると判断された基準時間の倍数をブロックに含まれるビット数として決定するブロック決定部と、
前記決定されたブロックの基準時間の倍数を、判定するビットデータ数の前提として各ビットの１または０の判定するビット判定部と、
前記各部をコンピューターによって制御する制御部と、
を含むことを特徴とする２値信号の読取装置。
【請求項９】
基準時間を求める基準時間決定部と、
前記基準時間の１倍〜ｎ倍における各ピーク間時間の下限及び上限をブロック判定の閾値として設定する閾値設定部と、
前記２値信号の各ピーク間時間が、前記設定された各ピーク間時間の下限及び上限の閾値内に含まれるまで、前記ピーク間時間を逐次加算して判断して、逐次加算されたピーク間時間が前記設定された各ピーク間時間の下限及び上限の閾値内に含まれると判断された基準時間の倍数をブロックに含まれるビット数として決定するブロック決定部と、
前記決定されたブロックの基準時間の倍数を、判定するビットデータ数であることを前提として各ビットの１または０の判定するビット判定部と、
前記各手段を制御するコンピューターとを備えた２値信号の読取装置において、
前記コンピューターに前記請求項１〜６のいずれかの読取方法を、実行させることを特徴とする２値信号の読取プログラム。
【手続補正２】
【補正対象書類名】明細書
【補正対象項目名】０００６
【補正方法】変更
【補正の内容】
【０００６】
上記課題を解決するための本発明の２値信号の読取方法は、周波数変調された２値信号の読取方法であって、基準時間を求め、前記基準時間の１倍〜ｎ倍における各ピーク間時間の下限及び上限をブロック判定の閾値として設定し、前記２値信号の各ピーク間時間が、前記設定された各ピーク間時間の下限及び上限の閾値内に含まれるまで、前記基準時間の倍数を増加させると共に、前記ピーク間時間を逐次加算してブロックを決定し、前記決定されたブロックにおける基準時間の倍数を判定するビットデータ数であることを前提として、各ビットの１または０の判定することを特徴とする。
【手続補正３】
【補正対象書類名】明細書
【補正対象項目名】０００８
【補正方法】変更
【補正の内容】
【０００８】
また、高低２種の周波数の組合わせによる周波数変調された２値信号の読取方法であって、前記２値信号を微分した波形をサンプリングしてピーク間時間に基づいた矩形波を取得し、前記矩形波のプリアンブル部から低い周波数のピーク間時間の平均である基準時間を求め、前記基準時間の１倍〜ｎ倍における各ピーク間時間の下限及び上限をブロック判定の閾値として設定し、前記２値信号の各ピーク間時間が、前記設定された各ピーク間時間の下限及び上限に含まれるまで、前記ピーク間時間を逐次加算して判断し、逐次加算されたピーク間時間が前記設定された各ピーク間時間の下限及び上限の閾値内に含まれると判断された基準時間の倍数をブロックとして決定し、前記決定されたブロックにおける基準時間の倍数を判定するビットデータ数であることを前提として、各ビットの１または０の判定することを特徴とする。
【手続補正４】
【補正対象書類名】明細書
【補正対象項目名】００１０
【補正方法】変更
【補正の内容】
【００１０】
また、前記ピーク間時間に基づいた矩形波を取得する際に、ピーク間時間が所定の時間よりも短い場合には、次のピークまでの時間をピーク間時間とすることを特徴とする。    この構成によって、図３の（Ａ）の第１ビット目の及び３ビット目の短い周期のノイズを微分回路における処理で除去することが可能になって、信号の弱い部分がある場合等で数ビットの不良領域が連続している場合においても総ビット数を間違うことがなく、２値データ判別することが可能になる。
【手続補正５】
【補正対象書類名】明細書
【補正対象項目名】００１１
【補正方法】変更
【補正の内容】
【００１１】
また、前記基準時間の倍数をブロックとして決定された後は、更に、継続する２値信号に対して、ブロックの決定を繰り返すことを特徴とする。
この構成によって、読取った２値をブロック単位（ブロックは必ずしも同じビット数である必要はない。）に区分して、各ブロックを構成する各ビットの判定をするので、信号の弱い部分がある場合等で数ビットの不良領域が連続している場合においても総ビット数を間違うことがなく、各ブロックごとに２値データ判別することが可能になる。
【手続補正６】
【補正対象書類名】明細書
【補正対象項目名】００１６
【補正方法】変更
【補正の内容】
【００１６】
上記課題を解決するための本発明の２値信号の読取プログラムは、基準時間を求める基準時間決定部と、前記基準時間の１倍〜ｎ倍における各ピーク間時間の下限及び上限をブロック判定の閾値として設定する閾値設定部と、前記２値信号の各ピーク間時間が、前記設定された各ピーク間時間の下限及び上限の閾値内に含まれるまで、前記ピーク間時間を逐次加算して判断して、逐次加算されたピーク間時間が前記設定された各ピーク間時間の下限及び上限の閾値内に含まれると判断された基準時間の倍数をブロックに含まれるビット数として決定するブロック決定部と、前記決定されたブロックの基準時間の倍数を、判定するビットデータ数であることを前提として各ビットの１または０の判定するビット判定部と、前記各手段を制御するコンピューターとを備えた２値信号の読取装置において、前記コンピューターに前述の２値信号の各読取方法を、実行させることを特徴とする。